(57)【要約】【課題】釣り竿を立っている姿勢のまま腰元に簡単に保持する。釣り場での安定性、安全性の向上。姿勢を変えずにルアー、疑似餌、ハリの取替作業が簡単に、素早く出来る。【解決手段】釣り竿を簡単に腰元に保持するホルダーであって、釣り竿のグリップ部分と竿尻側を引っ掛け、釣り竿をホルダーへ簡単に保持する事が出来る、図１（ａ）グリップフックと（ｂ）竿尻フックを備えている。図１（ｃ）差込パット部と（ｄ）ベルトフックにより、一般的な腰ベルトに挟みこむだけで身体へホルダーを、装着する事が出来る。スポーツフィッシングロッドホルダーは、釣り人本人の腰ベルトに取りつけたホルダーに竿を引っ掛けるだけで、釣り人の姿勢を変える事無く、ルアー、疑似餌、ハリの取替作業を行う事が出来る。また、釣り竿を置くスペースも必要なくなり、しかも両手は自由なので、ルアー、疑似餌、ハリの取替作業が安全かつ簡単に素早く出来る。【選択図】図１
2006042784.tif 000002
【特許請求の範囲】
【請求項１】
釣り竿を釣り人が、立ったままの姿勢で腰元に保持するロッドホルダーであり、釣り竿の、グリップ部を受けるグリップフック、竿尻側を引っ掛ける竿尻フック。腰ベルトに差し込む差込パット部、腰ベルトに引っ掛けるベルトフック部により構成された、スポーツフィッシング用ロッドホルダー。
【請求項２】
前記  差込パット、ベルトフックは、一般的な腰ベルトに、容易に取り付けることの出来る機能を備えた、請求項１に記載のロッドホルダー。
【発明の詳細な説明】
【技術分野】
【０００１】この発明は、一般的な腰ベルトに介して固定し、釣り竿を前方水平方向に保持し、立った姿勢でのルアー・疑似餌・ハリなどの付け替えなどの作業を安全かつ素早く行うためのスポーツフィッシング用ロッドホルダーに関する。
【背景技術】
【０００２】湖、野池などでブラックバスなどの、釣りを行う場合、釣り竿を周辺部の寝かせる事の出来る場所を見つけ、移動し、（ルアー、疑似餌、ハリなど）いずれかを取り付け、投げ入れる事の出来る場所まで移動し、ルアーなどを、投げ入れている。
（ルアー、疑似餌、ハリ）などを取り替える場合が頻繁にある為、上記にある一連の動作を繰り返し行っていた。
【発明の開示】
【発明が解決しようとする課題】
【０００３】釣り竿に（ルアー、疑似餌、ハリ）を取り付ける場合、もしくは取り替える場合、周辺に安全に付け替えが出来る場所があるか否かを確認し、移動しなければならなかった。野池などにおいては、大抵よく釣れる場所は限られており、その場所に合った（ルアー、疑似餌）に素早く取り替える必要があるのだが、よく釣れる場所は、竹林の奥や、背丈ほどの草むらの奥など、釣り竿を寝かせる場所の確保が困難な場合が多く、取替作業の為、移動しなければならない為落水や転倒の危険があった。
そこで、この発明は取替場所の確保、移動が必要なく、釣り人が釣りを行っている姿勢（立っている姿勢）を変える事なく、ルアーや疑似餌の取替を、安全かつ素早く行うためのスポーツフィッシング用ロッドホルダーを提供する事を課題とする。
【課題を解決するための手段】
【０００４】この発明は、（ルアー、疑似餌、ハリ）の取替場所の確保、移動が必要なく釣っている体勢（立っている状態）を変える事無く、ルアーや疑似餌、ハリの取替えを、安全かつ素早く行う目的でなされたものである。
請求項１に記載の発明は、釣り竿を釣っている体勢（立っている状態）で腰元に保持するロッドホルダーであり、釣り竿のグリップ部分を受けるグリップフック、竿尻側を引っ掛ける、竿尻フック、釣り人の腰元の一般的なベルトに差込み、身体に固定する差込みパット部と、ベルトに引っ掛けるベルトフックを備えたスポーツフィッシング用ロッドホルダーである。
ロッドホルダーは、差込パット部とベルトフックにより、一般的な腰ベルトに身体とホルダーを固定し、グリップ部分を受けるグリップフックと竿尻側を引っ掛ける竿尻フックに釣り竿を挟み込む。この結果、釣り人が釣りをしている状態と同じ姿勢のままで、容易に身体に釣り竿を保持する事が出来、移動しなくても、ルアー、疑似餌、ハリなどの取替が出来る為、安全な上、きわめて便利である。
【発明の効果】
【０００５】請求項２に記載の発明は、請求項１に記載のグリップフック、竿尻フックは釣り竿を簡単に保持でき、身体への取付けも容易にしたスポーツフィッシング用ロッドホルダーである。ロッドホルダーは、一般的な腰ベルトにならどれにでも装着出来る為、釣り人の身長、体系などにも関係なく、取付位置を調節する必要もないので、非常に容易に扱え、使い勝手が増すのである
【発明を実施するための最良の形態】
【０００６】この発明の、スポーツフィッシング用ロッドホルダーを図１に示す。
この発明に係るスポーツフィッシング用ロッドホルダーは、直径５．５ｍｍのステンレス性の棒状のものからなり、釣り竿のグリップ部分を受ける  図１−（ａ）グリップフック、竿尻側を引っ掛ける  図１−（ｂ）竿尻フック、一般的な腰ベルトに取り付けられる図１−（ｃ）差込パット部、腰ベルトに挟み込む  図図１−（ｄ）ベルトフック、からなり（ａ）のグリップフックと（ｂ）の竿尻フックには、釣り竿の傷を防ぐためのゴム性の被覆  図１−（１）が設けられている。【０００７】「実施形態の効果」
この実地形態によれば、腰ベルトに取り付ける事の出来る（ｃ）差込パット部、（ｄ）ベルトフックの働きで容易に身体にロッドホルダーを固定する事が出来、釣り竿のグリップ部分を受ける（ａ）グリップフック、竿尻側を引っ掛ける（ｂ）竿尻フックの働きにより、釣り竿を容易にロッドホルダーに保持する事が出来、その結果釣りを行っている姿勢を変える事無く、ルアー、疑似餌、ハリの取替が素早く出来、同時に足場の不安定な場所での安定性、安全性を高める事が出来る等の効果を発揮することが出来る。【０００８】「他の実施形態」
図１の実施形態は、ステンレス性の材質であったが材質は特別、限定されない。材質が、銅、アルミ、形状記憶合金、錆びない材質の物が好ましい。
製作容易さ、及び使い勝手、耐久性、コスト面を考慮すればステンレス性、即ち錆びる事がなく、丈夫であり、コスト面においてもステンレス性の物が好ましい。図１−（１）に記す被覆においても材質は特別、限定されない。被覆はゴム、皮革、スポンジなど、軟材質で釣り竿に、擦れによる傷などを防げる物ならよい。【０００９】図１〜図３は、この発明に係るスポーツフィッシング用ロッドホルダーの実施例を説明する為のものである。
図１によれば（ａ）は、竿尻のグリップ部分を受けるグリップフックで、（ｂ）の竿尻フックに、竿尻側を差し込む事により（ａ）のグリップフック部に釣り竿のグリップ部が乗り、（ｂ）の竿尻フックに竿尻側が掛かる事により釣り竿をロッドホルダーに保持する事が出来る様になる。
身体にホルダーを保持する為の、（ｃ）の差込パット部と、（ｂ）のベルトフックは、図２によれば、腰ベルトのやや前方のズボンと、ベルトの間に差し込む（ｃ）差込パット部と、やや後ろ側のズボンとベルトの間に引っ掛ける（ｄ）のベルトフックによって、腰ベルトへのホルダーの固定が出来る様になっている。【００１０】図３は、この発明に係るスポーツフィッシング用ロッドホルダーを身体に固定し足場の悪い場所などでの、ルアー、疑似餌、ハリの取替作業を行う状態を示す模式図である。
この発明に係るスポーツフィッシング用ロッドホルダーは釣り人の身体に装着し足場の悪い場所で、ルアー、疑似餌、ハリなどの取替場所が見当たらない状況においても、ルアー、疑似餌、ハリの取替を、釣り人が釣りを行っている姿勢（立っている状態）そのままで、両手で素早く行う事が出来る。
また、ルアー、疑似餌、ハリなどの取替場所を探すための、移動による落水や転倒の危険性を減少する事が出来る。
【図面の簡単な説明】
【００１１】
【図１】この発明の一実施例に係るスポーツフィッシング用ロッドホルダーを示す図である。
【図２】この発明の一実施例に係るスポーツフィッシング用ロッドホルダーを、釣り人に装着した際の状態を示す図である。
【図３】この発明の一実施例に係るスポーツフィッシング用ロッドホルダーに、釣り竿をセットし、釣りを行っている姿勢での、ルアー、疑似餌、ハリの取替作業を行っている状態を示す図である。
【符号の説明】
【００１２】      （ａ）  グリップフック              （ｂ）  竿尻フック
（ｃ）  差し込みパット部            （ｄ）  ベルトフック
（１）  保護被覆
【図１】
2006042784.tif 000003
【図２】
2006042784.tif 000004
【図３】
2006042784.tif 000005